(57)【要約】【課題】本発明は、極めて商品価値の高い画期的なヒンジ装置並びにヒンジ装置を用いた電子機器を提供することを目的とする。【解決手段】第一部材１と第二部材２とを枢着して互いに重合した閉塞状態から開放回動するように構成したヒンジ装置であって、前記第一部材１と共に回動する第一取付部材３に設けたカム体４に係合するカム係合体５を前記第二部材２と共に回動する第二取付部材６に設け、このカム体４とカム係合体５とが係合状態のとき第一部材１と第二部材２とが回動ロックされるように構成し、このカム係合体５をカム体４に対して係合離反方向に移動するよう前記第二取付部材６にスライド移動自在に設けると共に、このカム係合体５をカム体４に係合するように付勢する係合付勢機構７を備えたものである。【選択図】図１
2008075824.tif 000002
【特許請求の範囲】
【請求項１】
第一部材と第二部材とを枢着して互いに重合した閉塞状態から開放回動するように構成したヒンジ装置であって、前記第一部材と共に回動する第一取付部材に設けたカム体に係合するカム係合体を前記第二部材と共に回動する第二取付部材に設け、このカム体とカム係合体とが係合状態のとき第一部材と第二部材とが回動ロックされるように構成し、このカム係合体をカム体に対して係合離反方向に移動するよう前記第二取付部材にスライド移動自在に設けると共に、このカム係合体をカム体に係合するように付勢する係合付勢機構を備え、前記カム体とカム係合体との相対回動に際し、カム体に設けた摺動部が落ち込み摺動する被摺動部を前記カム係合体に設けて、前記第一部材と第二部材とを手で開放回動させることで、前記カム体とカム係合体とを相対回動させてカム体に対してカム係合体を係脱させた際、前記係合付勢機構の付勢を伴い圧接するカム体の摺動部がカム係合体の被摺動部を落ち込み摺動することで、第一部材と第二部材とを所定の開放状態となるまで自動で開放回動せしめる自動回動付勢力が生じるように構成されており、押し込み操作により前記カム係合体をカム体に対して係合離反方向にスライド移動せしめる押し込み操作部を備え、この押し込み操作部を押し込み操作して前記カム係合体を係合離反方向にスライド移動させた際、このカム係合体に変わってカム体に圧接する圧接体を前記第二取付部材に設け、この圧接体は、カム体との相対回動に際し、カム体に設けた他の摺動部が落ち込み摺動する被摺動部を有し、前記押し込み操作部を押し込み操作してカム体に対してカム係合体を係脱させた際、圧接するカム体の摺動部が圧接体の被摺動部を落ち込み摺動することで、第一部材と第二部材とを所定の開放状態となるまで自動で開放回動せしめる自動回動付勢力が生じるように構成されていることを特徴とするヒンジ装置。
【請求項２】
前記圧接体は、前記カム係合体に設けたスライド孔内を相対スライド移動自在に設けられており、前記押し込み操作部を押し込み操作して前記カム係合体を係合離反方向にスライド移動させた際、このカム係合体の端部から露出した圧接体がカム係合体に変わってカム体に圧接するように構成されていることを特徴とする請求項１記載のヒンジ装置。
【請求項３】
前記カム係合体の端部から没入した圧接体の没入状態を維持する没入状態維持機構を備え、この没入状態維持機構は、前記押し込み操作部を押し込み操作した際、前記圧接体の没入状態の維持が解除される構成であり、前記押し込み操作部を押し込み操作して前記カム係合体を係合離反方向にスライド移動させた際、カム係合体内を相対スライド移動する圧接体がカム係合体の端部から露出することで、このカム係合体に変わってカム体に圧接するように構成されていることを特徴とする請求項２記載のヒンジ装置。
【請求項４】
前記没入状態維持機構は、カム係合体の後端部に設けた係止部に落ち込み係合する係合部を有する係合体を前記第二取付部に回動自在に設けるとともに、この係合体の係合部がカム係合体の係止部に落ち込み係合する前にこの係合体の回動を阻止することでカム係合体と係合体との間に間隙が形成された状態を保持する回動阻止体を前記第二取付部に設けて構成され、この回動阻止体は、前記押し込み操作部を押し込み操作した際、係合体に対する回動阻止状態が解除されるように構成され、この係合体が回動することでカム係合体の係止部に対して係合体の係合部が落ち込み係合した際、前記カム係合体と係合体との間隙が狭くなる分、カム係合体が後退することでカム係合体の先端部から没入状態だった圧接体が露出するように構成されており、前記カム係合体内を相対スライド移動する圧接体がカム係合体の先端部から露出することで、このカム係合体に変わってカム体に圧接するように構成されていることを特徴とする請求項３記載のヒンジ装置。
【請求項５】
前記カム係合体の端部に設けた被摺動部を落ち込み摺動する摺動部を前記カム体の端面部外側部位に設けると共に、この摺動部が設けられる部位よりも内側部位に前記圧接体の端部に設けられる被摺動部を落ち込み摺動する摺動部を設けたことを特徴とする請求項２〜４のいずれか１項に記載のヒンジ装置。
【請求項６】
前記カム係合体の被摺動部及び圧接体の被摺動部を傾斜面に設定したことを特徴とする請求項１〜５のいずれか１項に記載のヒンジ装置。
【請求項７】
操作部を設けた本体部と、ディスプレイ部を設けた重合部とを、前記操作部を操作しない時にはこの操作部を覆うように重合配設し、この重合した状態から前記重合部を相対的に回動して操作部を露出させることができるように、前記本体部と前記重合部とを回動自在に連結するヒンジ装置を有し、このヒンジ装置には、前記本体部を前記第一部材若しくは第二部材とし、前記重合部を前記第二部材若しくは第一部材とした前記請求項１〜６のいずれか１項に記載のヒンジ装置を用いた電子機器。
【発明の詳細な説明】
【技術分野】
【０００１】
本発明は、ヒンジ装置並びにヒンジ装置を用いた電子機器に関するものである。
【背景技術】
【０００２】
最近の携帯電話は、折り畳みタイプが主流である。
【０００３】
このような折り畳みタイプの携帯電話は、一般的に不使用時には閉じておき、着信などがあった際に開いて通話するものであるが、例えば、着信があった際すぐ開けるように開放動作をワンタッチ式で簡易に行えるものの方が良いとの要望もある。
【０００４】
しかしながら、従来のヒンジ装置では、折り畳み式携帯電話の操作部とディスプレイ部との連結に使用した場合、回動ロック機構やロックを解除するためのボタンなどの駆動機構をこのヒンジ装置とは別途に必要としていたため、部品点数が多くなり、またそのためのスペースを設ける必要があるなどの問題が生じていた。
【０００５】
そこで、本出願人は、特許公開２００２−２２７８３２号公報に示すように、ワンタッチで開閉できる構成でありながら、開閉ロックのための別途の機構を機器側に設けることを不要とし、携帯電話の構成の単純化，省スペース化に寄与し得るヒンジ装置（以下、従来例）を開発した。
【０００６】
この従来例は、例えば前述のように折り畳みタイプの携帯電話に適用した場合、このヒンジ装置に設けた解除操作部（押込ボタン）を指で押すだけで、閉塞付勢されている例えばディスプレイ部が自動的に開放回動する構成としている。
【０００７】
【特許文献１】特開２００５−１７２１１６号公報
【発明の開示】
【発明が解決しようとする課題】
【０００８】
ところで、従来例は、閉塞付勢機構を果たしながらも、ワンタッチで自動開放する構造を実現する画期的なヒンジ装置であるが、この閉塞付勢機構を実現するための付勢機構（押しバネ）の他に、自動開放用のバネ（トーションバネ）を別途必須としており、よって、部品点数が多いことがコスト性及び製造性を向上する上での妨げになるのは勿論、この種の物品に要求される小型化・軽量化を達成する際にも妨げとなっているのも現状である（自動開放を実現する付勢力をトーションバネに要求すると長い長さが必要となり小型化しにくい。）。
【０００９】
本出願人は、前述した問題点に着目し、種々の実験・研究を繰り返し行った結果、従来にない作用効果を発揮する発揮的なヒンジ装置並びにヒンジ装置を用いた電子機器を開発した。
【課題を解決するための手段】
【００１０】
添付図面を参照して本発明の要旨を説明する。
【００１１】
第一部材１と第二部材２とを枢着して互いに重合した閉塞状態から開放回動するように構成したヒンジ装置であって、前記第一部材１と共に回動する第一取付部材３に設けたカム体４に係合するカム係合体５を前記第二部材２と共に回動する第二取付部材６に設け、このカム体４とカム係合体５とが係合状態のとき第一部材１と第二部材２とが回動ロックされるように構成し、このカム係合体５をカム体４に対して係合離反方向に移動するよう前記第二取付部材６にスライド移動自在に設けると共に、このカム係合体５をカム体４に係合するように付勢する係合付勢機構７を備え、前記カム体４とカム係合体５との相対回動に際し、カム体４に設けた摺動部８が落ち込み摺動する被摺動部９を前記カム係合体５に設けて、前記第一部材１と第二部材２とを手で開放回動させることで、前記カム体４とカム係合体５とを相対回動させてカム体４に対してカム係合体５を係脱させた際、前記係合付勢機構７の付勢を伴い圧接するカム体４の摺動部８がカム係合体５の被摺動部９を落ち込み摺動することで、第一部材１と第二部材２とを所定の開放状態となるまで自動で開放回動せしめる自動回動付勢力が生じるように構成されており、押し込み操作により前記カム係合体５をカム体４に対して係合離反方向にスライド移動せしめる押し込み操作部10を備え、この押し込み操作部10を押し込み操作して前記カム係合体５を係合離反方向にスライド移動させた際、このカム係合体５に変わってカム体４に圧接する圧接体14を前記第二取付部材６に設け、この圧接体14は、カム体４との相対回動に際し、カム体４に設けた他の摺動部12が落ち込み摺動する被摺動部13を有し、前記押し込み操作部10を押し込み操作してカム体４に対してカム係合体５を係脱させた際、圧接するカム体４の摺動部12が圧接体14の被摺動部13を落ち込み摺動することで、第一部材１と第二部材２とを所定の開放状態となるまで自動で開放回動せしめる自動回動付勢力が生じるように構成されていることを特徴とするヒンジ装置に係るものである。
【００１２】
また、前記圧接体14は、前記カム係合体５に設けたスライド孔15内を相対スライド移動自在に設けられており、前記押し込み操作部10を押し込み操作して前記カム係合体５を係合離反方向にスライド移動させた際、このカム係合体５の端部から露出した圧接体14がカム係合体５に変わってカム体４に圧接するように構成されていることを特徴とする請求項１記載のヒンジ装置に係るものである。
【００１３】
また、前記カム係合体５の端部から没入した圧接体14の没入状態を維持する没入状態維持機構16を備え、この没入状態維持機構16は、前記押し込み操作部10を押し込み操作した際、前記圧接体14の没入状態の維持が解除される構成であり、前記押し込み操作部10を押し込み操作して前記カム係合体５を係合離反方向にスライド移動させた際、カム係合体５内を相対スライド移動する圧接体14がカム係合体５の端部から露出することで、このカム係合体５に変わってカム体４に圧接するように構成されていることを特徴とする請求項２記載のヒンジ装置に係るものである。
【００１４】
また、前記没入状態維持機構16は、カム係合体５の後端部に設けた係止部19に落ち込み係合する係合部20を有する係合体17を前記第二取付部６に回動自在に設けるとともに、この係合体17の係合部20がカム係合体５の係止部19に落ち込み係合する前にこの係合体17の回動を阻止することでカム係合体５と係合体17との間に間隙Ｌが形成された状態を保持する回動阻止体18を前記第二取付部６に設けて構成され、この回動阻止体18は、前記押し込み操作部10を押し込み操作した際、係合体17に対する回動阻止状態が解除されるように構成され、この係合体17が回動することでカム係合体５の係止部19に対して係合体17の係合部20が落ち込み係合した際、前記カム係合体５と係合体17との間隙Ｌが狭くなる分、カム係合体５が後退することでカム係合体５の先端部から没入状態だった圧接体14が露出するように構成されており、前記カム係合体５内を相対スライド移動する圧接体14がカム係合体５の先端部から露出することで、このカム係合体５に変わってカム体４に圧接するように構成されていることを特徴とする請求項３記載のヒンジ装置に係るものである。
【００１５】
また、前記カム係合体５の端部に設けた被摺動部９を落ち込み摺動する摺動部８を前記カム体４の端面部外側部位に設けると共に、この摺動部８が設けられる部位よりも内側部位に前記圧接体14の端部に設けられる被摺動部13を落ち込み摺動する摺動部12を設けたことを特徴とする請求項２〜４のいずれか１項に記載のヒンジ装置に係るものである。
【００１６】
また、前記カム係合体５の被摺動部９及び圧接体14の被摺動部13を傾斜面に設定したことを特徴とする請求項１〜５のいずれか１項に記載のヒンジ装置に係るものである。
【００１７】
また、操作部21を設けた本体部１と、ディスプレイ部22を設けた重合部２とを、前記操作部21を操作しない時にはこの操作部21を覆うように重合配設し、この重合した状態から前記重合部２を相対的に回動して操作部21を露出させることができるように、前記本体部１と前記重合部２とを回動自在に連結するヒンジ装置を有し、このヒンジ装置には、前記本体部１を前記第一部材若しくは第二部材とし、前記重合部２を前記第二部材若しくは第一部材とした前記請求項１〜６のいずれか１項に記載のヒンジ装置を用いた電子機器に係るものである。
【発明の効果】
【００１８】
本発明は上述のように構成したから、ワンタッチで自動開放する構造を実現するタイプにおいて、小型軽量化を確実に達成することができ、しかも、コスト安にして量産性に秀れるなど従来にない作用効果を発揮する発揮的なヒンジ装置並びにヒンジ装置を用いた電子機器となる。
【発明を実施するための最良の形態】
【００１９】
好適と考える本発明の実施形態（発明をどのように実施するか）を、図面に基づいて本発明の作用を示して簡単に説明する。
【００２０】
本発明は、第一部材１と第二部材２とを手で開放回動させることで、カム体４とカム係合体５とを相対回動させてカム体４に対してカム係合体５を係脱させた際も、押し込み操作部10を押し込み操作してカム体４に対してカム係合体５を係脱させた際も、第一部材１と第二部材２とを所定の開放状態となるまで自動で開放回動せしめる自動回動付勢力が生じることになる。
【００２１】
ところで、本発明は、前述したようにこの自動回動付勢力をトーションバネを不要とし、押しバネのみで達成している。
【００２２】
従って、ワンタッチで自動開放する構造を実現するタイプにおいて、従来にない構造から、小型軽量化を確実に達成することができ、しかも、コスト安にして量産性に秀れることになる。
【実施例】
【００２３】
本発明の具体的な実施例について図面に基づいて説明する。
【００２４】
本実施例は、図１に示すように折り畳みタイプの携帯電話に適用した場合を示したもので、操作部21を備えた本体部を第一部材１とし、ディスプレイ部22を備えた重合部を第二部材２とし、第一部材１と第二部材２とが重合した閉塞状態から第二部材２を例えば１２０度まで回動した開放状態（通話位置）とすることができる枢着構造に本発明のヒンジ装置Ｈを適用している。
【００２５】
そして、閉塞付勢されている回動ロック状態の閉塞状態において、押し込み操作部10（リリースボタン）を押動操作すると、第二部材２が自動的に一挙に所定開放角度（例えば１２０度）まで回動して停止し、且つこの押し込み操作部10を操作しないで、手で第二部材２を回動することができ、手で第二部材２を回動操作する場合は、カム体４とカム係合体６とが係合した閉塞状態からこの係合が係脱するわずかな回動角度までは閉塞付勢されていて、この閉塞付勢に抗して所定回動角度以上手で回動させると、第二部材２が自動的に一挙に所定開放角度（例えば１２０度）まで回動して停止する構成としている。
【００２６】
本実施例では、第一部材１の基部に取付孔１ａを設け、第二部材２の基部にもこの取付孔１ａと連通状態に隣接する取付孔２ａを設け、この夫々の取付孔１ａ，２ａに軸状パーツとして構成した本発明のヒンジ装置Ｈを装着する構成としている。
【００２７】
具体的に説明すると、図２，図３に示すように、前記第二部材２には、前記取付孔２ａに対して回り止め形状としたケーシングを第二取付部材６としてこの第二部材２の取付孔２ａに回り止め状態に固定し、このケーシングの一端部を閉塞する閉塞部材を第一取付部材３として前記第一部材１の取付孔１ａを介して第一部材１に固定している。
【００２８】
この第一取付部材３と第二取付部材６は、夫々回動軸23に対して回動自在に被嵌されており互いに相対回動自在に設けられている。
【００２９】
また、この第一取付部材３の内側先端部は、前記第二取付部材６内に配されるカム体４として設定されている。
【００３０】
また、第二取付部材６の他端部には閉塞部６ｂが設けられ、この閉塞部６ｂの内側には前記カム体４と対向し、互いに係合するカム係合体５が設けられ、このカム係合体５は、第二取付部材６内に回り止め状態に設けると共に、第二取付部材６の内面部に設けたガイド凹条６ａに沿って係合離反方向にスライド移動自在に設けている。
【００３１】
また、このカム係合体５と閉塞部６ｂとの間の第二取付部材６内には、カム係合体５を係合方向に付勢する内外一対のコイルバネ７Ａ，７Ｂが係合付勢機構７として設けられている。
【００３２】
従って、この係合付勢機構７により係合付勢されるカム体４とカム係合体５とが係合状態のとき第一部材１と第二部材２とは回動ロックされる。
【００３３】
ところで、本実施例は、第一部材１と第二部材２とを手で開放回動させることで、カム体４とカム係合体５とを相対回動させてカム体４に対してカム係合体５を係脱させた際も、押し込み操作部10を押し込み操作してカム体４に対してカム係合体５を係脱させた際も、第一部材１と第二部材２とを所定の開放状態となるまで自動で一挙に開放回動せしめる自動回動付勢力が生じるように構成されている。
【００３４】
具体的には、カム体４とカム係合体５との相対回動に際し、カム体４に設けた摺動部８が落ち込み摺動する被摺動部９をカム係合体５に設けて、第一部材１と第二部材２とを手で開放回動させることで、カム体４とカム係合体５とを相対回動させてカム体４に対してカム係合体５を係脱させた際、係合付勢機構７の付勢を伴い互いに圧接するカム体４の摺動部８がカム係合体５の被摺動部９を落ち込み摺動することで、第一部材１と第二部材２とを所定の開放状態となるまで自動で開放回動せしめる自動回動付勢力が生じるように構成されている。
【００３５】
カム体４の端面部にして回動軸23に被嵌する被嵌孔４ａを挟んだ対向位置には一対の係止凸状部４ｂが設けられ、この係止凸状部４ｂが係合する一対の係合凸状部５ｂがカム係合体５の端面部にして後述する圧接体14が嵌挿するスライド孔15を挟んだ対向位置に設けられている。
【００３６】
このカム係合体５に設けられた各係合凸状部５ｂは正面視山形形状に形成されており、頂部５ｂ’を境とした一の傾斜面は第一部材１と第二部材２とを回動ロックする際に係止凸状部４ｂが係止する部位に設定され、一方、頂部５ｂ’を境とした他の傾斜面は該頂部５ｂ’を乗り越えた係止凸状部４ｂの頂部８が摺動部８として落ち込み摺動する被摺動部９として設定されており、前述した係合付勢機構７の付勢を伴い互いに圧接するカム体４の摺動部８がカム係合体５の被摺動部９を落ち込み摺動することで、第一部材１と第二部材２とを所定の開放状態となるまで自動で開放回動せしめる自動回動付勢力が生じるように構成されている。尚、この被摺動部９は、約１２０度の回動範囲において下り傾斜状に設けられている。
【００３７】
また、カム体４の端面部に設けた各係止凸状部４ｂの頂部にして前記摺動部８（第一摺動部）が設けられる部位よりも内側部には、後述する圧接体14の端面部に設けられる被摺動部13を落ち込み摺動する摺動部12（第二摺動部）が設けられている。
【００３８】
この摺動部12は、ヒンジ装置Ｈの端部（第一取付部材の外側位置）に設けられる押し込み操作部10を押し込み操作した際、係合付勢機構７の付勢を伴いカム体４に対して圧接する圧接体14の被摺動部13を落ち込み摺動することで、第一部材１と第二部材２とを所定の開放状態となるまで自動で開放回動せしめる自動回動付勢力が生じるように構成されている。
【００３９】
圧接体14は、回動軸カム係合体５に設けたスライド孔15内を相対回動不能状態にして相対スライド移動自在に設けられている。
【００４０】
また、圧接体14は、その端面部にして回動軸23に被嵌する被嵌孔14ａを挟んだ対向位置に傾斜面が形成されており、この各傾斜面はカム体４の摺動部12が落ち込み摺動する被摺動部13に設定されている。尚、この各被摺動部13は、前述したカム係合体５の被摺動部９と同様、約１２０度の回動範囲において下り傾斜状に設けられている。
【００４１】
また、圧接体14は、カム係合体５の端部から没入した圧接体14の没入状態を維持する没入状態維持機構16を備え、この没入状態維持機構16は、押し込み操作部10を押し込み操作した際、圧接体14の没入状態の維持が解除される構成である。
【００４２】
この没入状態維持機構16は、カム係合体５の後端部に設けた係止部19に落ち込み係合する係合部20を有する係合体17を前記第二取付部材６に回動自在に設けるとともに、この係合体17の係合部20がカム係合体５の係止部19に落ち込み係合する前にこの係合体17の回動を阻止することでカム係合体５と係合体17との間に間隙Ｌが形成された状態を保持する回動阻止体18を前記第二取付部材６に設けて構成され、この回動阻止体18は、前記押し込み操作部10を押し込み操作した際、係合体17に対する回動阻止状態が解除されるように構成され、この係合体17が回動することでカム係合体５の係止部19に対して係合体17の係合部20が落ち込み係合した際、前記カム係合体５と係合体17との間隙Ｌが狭くなる分、カム係合体５が後退することでカム係合体５の先端部から没入状態だった圧接体14が露出するように構成されており、前記カム係合体５内を相対スライド移動する圧接体14がカム係合体５の先端部から露出することで、このカム係合体５に変わってカム体４に圧接するように構成されている。
【００４３】
係合体17は、図３に図示したように第二取付部材６内にスライド移動自在にして回動自在に設けられており、その端部にはカム係合体５の後端部に設けた係止部19に落ち込み係合する係合部20が設けられている。
【００４４】
また、係合体17は、その周面対向位置に突部17ａが設けられており、この突部17ａは後述する回動阻止体18のガイド孔24にスライド係合するスライド突部17ａとして構成されている。
【００４５】
回動阻止体18は、図３に図示したように第二取付部材６内にスライド移動自在に配される一対の板状体で構成され、この各回動阻止体18はカム係合体５及び係合体17夫々の周面対向位置に添設状態で配される。
【００４６】
また、各回動体阻止体18には、ガイド孔24が形成されている。
【００４７】
このガイド孔24は、前述した係合体17の周面に設けたスライド突部17ａをガイドする構成であり、長さ方向に長さを有する直線部24ａと、この直線部24ａの端部に傾斜状に屈曲連設する傾斜部24ｂとから成り、係合体17は、スライド突部17ａが直線部24ａをスライドする際、第二取付部材６内を回動不能状態で長さ方向に相対スライド移動することになり、スライド突部17ａが傾斜部24ｂをスライドする際、第二取付部材６内を長さ方向に相対スライド移動しつつ傾斜方向へ誘導されることで第二取付部材６内を回動することになる。
【００４８】
また、回動阻止体18は、第二取付部材６内に付勢体25（コイルスプリング）の戻り付勢に抗してスライド移動自在にしてカム係合部材５に対してスライド移動自在に設けられており、後述する押し込み操作部10により押し込まれた際、所定の距離だけ移動した後は係止部18ａがカム係合部材５の被係止部５ｃに係止してカム係合部材５を後方へ押し込み移動させるように構成されている。
【００４９】
従って、係合体17は回動阻止体18との相対スライド移動に伴い、第二取付部材６内を回動不能状態から回動可能状態へ、回動可能状態から回動不能状態へ適宜切り替わることになる。
【００５０】
本実施例では、この回動阻止体18により係合体17の回動が阻止される際、係合体17の係合部20がカム係合体５の係止部19に落ち込み係合する前（係合途中）の状態であり、この際、カム係合体５と係合体17との間に間隙Ｌが形成された状態が保持され、一方、回動阻止体18が移動して該回動阻止体18による係合体17の回動阻止が解除された際、係合体17の係合部20がカム係合体５の係止部19に落ち込み係合することでカム係合体５と係合体17との間に形成された間隙Ｌが無くなることになる。
【００５１】
このカム係合体５と係合体17との間隙Ｌが無くなった場合、カム係合体５が後退することでカム係合体５の先端部から没入状態だった圧接体14が露出することになり、前記カム係合体５内を相対スライド移動する圧接体14が係合付勢機構７に付勢を伴いカム係合体５の先端部から露出することで、このカム係合体５に変わってカム体４に圧接することになる。
【００５２】
つまり、押し込み操作部10を押し込み操作しない限り圧接体14はカム体４に圧接することはなく、手動により第一部材１と第二部材２とを開放方向に回動させた際には、カム係合体５と係合体17との間には間隙Ｌが保持されたままカム体４とカム係合体５とによる自動回動付勢が行なわれることになる。
【００５３】
押し込み操作部10は、押し込みボタン10Ａと、この押し込みボタン10Ａの押し込み力をコ字状の伝達部材10Ｂを介して伝達されるリング部材10Ｃとを有する構成であり、このリング部材10Ｃは前述した回動阻止体18の先端に当接するように構成されている。符号10Ｄは押し込みボタン10Ａを配設する為の配設部材である。
【００５４】
従って、押し込み操作部10を押し込み操作することで回動阻止体18を押し込み操作し得ることになり、前述したようにカム係合体５と係合体17との間隙Ｌの減少により該カム係合体５は後退するとともに、カム係合体５の先端部から圧接体14の先端部が没入状態から露出してカム体４に圧接した際、カム体４の摺動部12が圧接体14の被摺動部13を落ち込み摺動することで第一部材１と第二部材２とを所定の開放状態となるまで自動で開放回動せしめる自動回動付勢力が生じることになる。
【００５５】
符号26は係合付勢機構７に係るコイルバネ７Ａ，７Ｂの付勢力を伝達する板体、27はワッシャーである。
【００５６】
本実施例は上述のように構成したから、第一部材１と第二部材２とを手で開放回動させることで、カム体４とカム係合体５とを相対回動させてカム体４に対してカム係合体５を係脱させた際も、押し込み操作部10を押し込み操作してカム体４に対してカム係合体５を係脱させた際も、第一部材１と第二部材２とを所定の開放状態となるまで自動で開放回動せしめる自動回動付勢力が生じることになる。
【００５７】
また、本実施例は、この自動回動付勢力をトーションバネを不要とし、押しバネのみで達成している。
【００５８】
よって、本実施例によれば、ワンタッチで自動開放する構造を実現するタイプにおいて、従来にない構造から、小型軽量化を確実に達成することができ、しかも、コスト安にして量産性に秀れることになる。
【００５９】
尚、本発明は、本実施例に限られるものではなく、各構成要件の具体的構成は適宜設計し得るものである。
【図面の簡単な説明】
【００６０】
【図１】本実施例の使用状態説明図である。
【図２】本実施例を示す斜視図である。
【図３】本実施例の分解斜視図である。
【図４】本実施例に係る要部の斜視図である。
【図５】本実施例に係る要部の斜視図である。
【図６】本実施例に係る要部の斜視図である。
【図７】本実施例の動作説明断面図である。
【図８】本実施例の動作説明断面図である。
【図９】本実施例に係る要部の説明図である。
【図１０】本実施例に係る要部の説明図である。
【図１１】本実施例に係る要部の説明図である。
【図１２】本実施例に係る要部の説明断面図である。
【図１３】本実施例に係る要部の動作説明図である。
【図１４】本実施例に係る要部の動作説明図である。
【図１５】本実施例に係る要部の動作説明図である。
【符号の説明】
【００６１】
Ｌ  間隙
１  第一部材
２  第二部材
３  第一取付部材
４  カム体
５  カム係合体
６  第二取付部材
７  係合付勢機構
８  摺動部
10  押し込み操作部
12  摺動部
13  被摺動部
14  圧接体
15  スライド孔
16  没入状態維持機構
17  係合体
18  回動阻止体
19  係止部
20  係合部
21  操作部
22  ディスプレイ部
【図１】
2008075824.tif 000003
【図２】
2008075824.tif 000004
【図３】
2008075824.tif 000005
【図４】
2008075824.tif 000006
【図５】
2008075824.tif 000007
【図６】
2008075824.tif 000008
【図７】
2008075824.tif 000009
【図８】
2008075824.tif 000010
【図９】
2008075824.tif 000011
【図１０】
2008075824.tif 000012
【図１１】
2008075824.tif 000013
【図１２】
2008075824.tif 000014
【図１３】
2008075824.tif 000015
【図１４】
2008075824.tif 000016
【図１５】
2008075824.tif 000017